(57)【要約】  温度センサが検出したメインＣＰＵの温度が設定温度を超えた場合には、メインＣＰＵの動作を停止してメインＣＰＵによる温度上昇を止めた状態で、サブＣＰＵによって光ディスクの駆動部を駆動する。この場合、光ディスクの駆動に基づく風でメインＣＰＵの冷却が進み、その結果、メインＣＰＵが再び起動するまでの、光ディスクからのデータの読み出し動作又は光ディスクへのデータの書き込み動作の停止時間を短縮できる。
2013073188.tif 000002
【特許請求の範囲】
【請求項１】
光ディスクの駆動部と、
前記光ディスクを前記駆動部に搬送する、または、前記光ディスクを前記駆動部から取り出すローディング部と、
前記駆動部によって駆動された前記光ディスクからのデータの読み出し、または、前記光ディスクへのデータの書き込みを行う光ピックアップ部と、
前記光ピックアップ部、前記ローディング部及び前記駆動部に接続した制御部と、を備え、
前記制御部は、
前記駆動部及び前記光ピックアップ部に接続したメインＣＰＵと、
前記ローディング部及び前記駆動部に接続したサブＣＰＵと、
前記メインＣＰＵの温度を検出する温度センサと、を有し、
前記温度センサが検出した前記メインＣＰＵの温度が設定温度を超えた場合には、前記サブＣＰＵが前記駆動部を駆動する、車載用光ディスク装置。
【請求項２】
前記温度センサが検出した前記メインＣＰＵの温度が前記設定温度を超えた場合には、前記サブＣＰＵが前記駆動部と前記ローディング部とを駆動する、請求項１に記載の車載用光ディスク装置。
【請求項３】
前記温度センサが検出した前記メインＣＰＵの温度が前記設定温度を超えた場合には、前記サブＣＰＵが表示部に温度異常を表示するよう処理する、請求項１または２に記載の車載用光ディスク装置。
【請求項４】
前記サブＣＰＵに起動ＣＰＵが接続され、
前記温度センサが検出した前記メインＣＰＵの温度が前記設定温度を超えた場合には、前記サブＣＰＵが前記起動ＣＰＵに温度異常を通知する、請求項３に記載の車載用光ディスク装置。
【発明の詳細な説明】
【技術分野】
【０００１】
本発明は、車載用光ディスク装置に関する。
【背景技術】
【０００２】
従来の車載用光ディスク装置は、光ディスクの駆動部と、光ディスクを駆動部に搬送する、または、光ディスクを駆動部から取り出すローディング部と、駆動部によって駆動された光ディスクからのデータの読み出し、または、光ディスクへのデータの書き込みを行う光ピックアップ部と、光ピックアップ部、ローディング部及び駆動部に接続した部とを備える。また、制御部には、温度センサが接続されている。【０００３】
上記従来の車載用光ディスク装置では、車内温度が高温であることが温度センサによって検出されると、光ディスクからのデータの読み出しも光ディスクへのデータの書き込みも停止される。その後、窓の開放又はエアコンによって車内温度が低下すると、光ディスクからのデータの読み出し、または、光ディスクへのデータの書き込みの停止が解除される。【０００４】
しかし、車内温度が下がるまで光ディスクの読み出し又は書き込みができない従来の車載用光ディスク装置はユーザにとって極めて使い勝手が悪い。このため、車内が高温状態であるときの動作停止時間の短縮化が求められている。【０００５】
なお、車載用の光ディスク装置ではないが、特許文献１に記載の光ディスク装置は、マイコンがモータ駆動部を制御して光ディスクを駆動することで風を発生させ、この風で例えば光ピックアップ部を冷却しようとする。
【先行技術文献】
【特許文献】
【０００６】
【特許文献１】日本国特開２００７−１０２９５６号公報
【発明の概要】
【発明が解決しようとする課題】
【０００７】
上記説明した特許文献１に記載の光ディスク装置は、光ディスクを駆動することで風を発生させ、この風で光ピックアップ部を冷却しようとしている。しかし、当該光ディスク装置を車両に搭載しても、車内は極めて高温状態となることが多く、高温状態であるときは既にマイコンが機能を停止しているため、駆動部を起動することができない。【０００８】
本発明の目的は、車内温度が高温であるときの光ディスクからのデータの読み出し動作または光ディスクへのデータの書き込み動作の停止時間を短縮できる車載用光ディスク装置を提供することである。
【課題を解決するための手段】
【０００９】
本発明は、光ディスクの駆動部と、前記光ディスクを前記駆動部に搬送する、または、前記光ディスクを前記駆動部から取り出すローディング部と、前記駆動部によって駆動された前記光ディスクからのデータの読み出し、または、前記光ディスクへのデータの書き込みを行う光ピックアップ部と、前記光ピックアップ部、ローディング部及び前記駆動部に接続した制御部と、を備え、前記制御部は、前記駆動部及び前記光ピックアップ部に接続したメインＣＰＵと、前記ローディング部及び前記駆動部に接続したサブＣＰＵと、前記メインＣＰＵの温度を検出する温度センサと、を有し、前記温度センサが検出した前記メインＣＰＵの温度が設定温度を超えた場合には、前記サブＣＰＵが前記駆動部を駆動する車載用光ディスク装置を提供することである。
【発明の効果】
【００１０】
本発明に係る車載用光ディスク装置は、光ディスクの駆動部と、前記光ディスクを前記駆動部に搬送する、または、前記光ディスクを前記駆動部から取り出すローディング部と、前記駆動部によって駆動された前記光ディスクからのデータの読み出し、または、前記光ディスクへのデータの書き込みを行う光ピックアップ部と、前記光ピックアップ部、ローディング部及び前記駆動部に接続した制御部と、を備え、前記制御部は、前記駆動部及び前記光ピックアップ部に接続したメインＣＰＵと、前記ローディング部及び前記駆動部に接続したサブＣＰＵと、前記メインＣＰＵの温度を検出する温度センサと、を有し、前記温度センサが検出した前記メインＣＰＵの温度が設定温度を超えた場合には、前記サブＣＰＵが前記駆動部を駆動する構成である。このため、車内温度が高温であるときの光ディスクからのデータの読み出し動作または光ディスクへのデータの書き込み動作の停止時間を短縮できる。【００１１】
また、温度センサが検出したメインＣＰＵの温度が設定温度を超えた場合には、メインＣＰＵの動作を停止してメインＣＰＵによる温度上昇を止めた状態で、サブＣＰＵによって駆動部を駆動する。この場合、光ディスクの駆動に基づく風でメインＣＰＵの冷却が進み、その結果、メインＣＰＵが再び起動するまでの、光ディスクからのデータの読み出し動作または光ディスクへのデータの書き込み動作の停止時間を短縮できる。
【図面の簡単な説明】
【００１２】
【図１】一実施形態の車載用光ディスク装置を搭載した自動車の内部前方を示す図
【図２】一実施形態の車載用光ディスク装置の内部構成を示すブロック図
【図３】一実施形態の車載用光ディスク装置の動作を示すフローチャート
【図４】一実施形態の車載用光ディスク装置の動作を示すフローチャート
【図５】一実施形態の車載用光ディスク装置の動作を示すフローチャート
【発明を実施するための形態】
【００１３】
以下、本発明の実施の形態を添付図面を用いて説明する。
【００１４】
図１は、一実施形態の車載用光ディスク装置を搭載した自動車の車内前方を示す図である。図１に示すように、自動車１の車内２の前方には、運転席３と助手席４とが設けられている。また、運転席３の前方にはハンドル５が設けられ、ハンドル５の左側には車載用光ディスク装置６が配置されている。
【００１５】
図２は、車載用光ディスク装置６の内部構成を示すブロック図である。図２に示すように、車載用光ディスク装置６は、駆動部８と、モータドライバ９と、ローディング部１０と、モータドライバ１１と、光ピックアップ部２２と、アクチュエータドライバ１２と、制御部１３と、起動ＣＰＵ１６と、表示部１８と、パワー電源１９と、スイッチ２０と、スイッチ２１とを備える。
【００１６】
駆動部８は、光ディスク７を駆動するスピンドルモータを含む。モータドライバ９は、駆動部８のスピンドルモータを駆動する。ローディング部１０は、光ディスク７を駆動部８に搬送する、または、光ディスク７を駆動部８から取り出すローディングモータを含む。モータドライバ１１は、ローディング部１０のローディングモータを駆動する。光ピックアップ部２２は、駆動部８によって駆動された光ディスク７からのデータの読み出し、または、光ディスク７へのデータの書き込みを行う光ピックアップを含む。アクチュエータドライバ１２は、光ピックアップ部２２の光ピックアップを駆動する。
【００１７】
光ピックアップ部２２、ローディング部１０及び駆動部８には、制御部１３が接続されている。
【００１８】
制御部１３は、駆動部８と光ピックアップ部２２に接続したメインＣＰＵ１４と、ローディング部１０と駆動部８に接続したサブＣＰＵ１５と、メインＣＰＵ１４、サブＣＰＵ１５及び起動ＣＰＵ１６の各温度を検出するＬＳＩ温度センサ１７とを有している。
【００１９】
本実施形態の車載用光ディスク装置６では、ＬＳＩ温度センサ１７が検出したメインＣＰＵ１４の温度が設定値を超えた場合には、サブＣＰＵ１５によって駆動部８を駆動する。
【００２０】
メインＣＰＵ１４と起動ＣＰＵ１６には、表示部１８が接続されている。サブＣＰＵ１５は、メインＣＰＵ１４とパワー電源１９の間に設けたスイッチ２０を開閉する。さらに、サブＣＰＵ１５は、モータドライバ９に対して、メインＣＰＵ１４とサブＣＰＵ１５を選択的に切り換えるスイッチ２１を駆動する。
【００２１】
以下、本実施形態の車載用光ディスク装置６による光ディスク７の再生動作について説明する。
【００２２】
まず、光ディスク７が車載用光ディスク装置６内に入っていない場合（図３のステップＳ１）、ユーザが車両のエンジンを駆動すると（図３のステップＳ２）、起動ＣＰＵ１６が起動され、サブＣＰＵ１５を起動する（図３のステップＳ３）。サブＣＰＵ１５が起動してスイッチ２０を閉じると、メインＣＰＵ１４がスイッチ２０を介してパワー電源１９に接続され、メインＣＰＵ１４が起動する（図３のステップＳ４）。続いて、ユーザにより光ディスク７が車載用光ディスク装置６に挿入（図３のステップＳ５）されると、サブＣＰＵ１５は、光ディスク７の挿入を検知し、モータドライバ１１を介してローディング部１０を起動する（図３のステップＳ６）。つまり、車載用光ディスク装置６内に光ディスク７が引き込まれ、駆動部８のスピンドルモータで回転駆動され、また、光ピックアップ部２２でデータが読み取られる状態となる。
【００２３】
一方、光ディスク７が既に車載用光ディスク装置６内に入っている場合（図３のステップＳ７）、ユーザが車両のエンジンを駆動すると（図３のステップＳ８）、起動ＣＰＵ１６が起動され、サブＣＰＵ１５を起動する（図３のステップＳ９）。サブＣＰＵ１５が起動してスイッチ２０を閉じると、メインＣＰＵ１４がスイッチ２０を介してパワー電源１９に接続され、メインＣＰＵ１４が起動する（図３のステップＳ１０）。次に、メインＣＰＵ１４によってディスク位置の確認及びクランプ状態の認識が行われ、光ピックアップ部２２でデータが読み取られる状態となる（図３のステップＳ１１）。
【００２４】
上記説明したステップＳ１〜ステップＳ６又はステップＳ７〜ステップＳ１１が行われた後、光ピックアップ部２２の温度上昇、または、メインＣＰＵ１４、サブＣＰＵ１５若しくは起動ＣＰＵ１６の温度上昇についての判定が行われる（図４のステップＳ１２）。なお、光ピックアップ部２２には温度センサ（図示せず）が設けられているので、光ピックアップ部２２の温度は、この図示していない温度センサによって測定される。また、メインＣＰＵ１４、サブＣＰＵ１５又は起動ＣＰＵ１６の各温度はＬＳＩ温度センサ１７によって測定される。
【００２５】
メインＣＰＵ１４は、車内温度の影響により、例えば５０℃（設定温度の一例）になると電源供給を遮断する。一方、サブＣＰＵ１５と起動ＣＰＵ１６は、例えば１００℃になると安全のために電源供給を遮断するが、通常の使用状態では電源供給が遮断されることはない。したがって、図４のステップＳ１２においては、メインＣＰＵ１４の温度が５０℃（設定温度の一例）を超えているか否かを判定する。例えば、夏季以外の季節では、車内温度もそれほど高温にならないので、図４のステップＳ１２の判定はＮＯとなり、ステップＳ１３へと移行する。
【００２６】
ステップＳ１３では、起動ＣＰＵ１６がサブＣＰＵ１５に再生指示を出す。続いて、サブＣＰＵ１５がメインＣＰＵ１４に再生指示を出す（図４のステップＳ１４）。
【００２７】
なお、ステップＳ１３においては、サブＣＰＵ１５がスイッチ２０を閉じ、パワー電源１９からメインＣＰＵ１４に電源供給を行うとともに、スイッチ２１がメインＣＰＵ１４側に切り換えられる。この状態になると、メインＣＰＵ１４は、モータドライバ９を介して駆動部８のスピンドルモータを駆動することによって光ディスク７を駆動する。また、メインＣＰＵ１４は、アクチュエータドライバ１２を介して光ピックアップ部２２を駆動して、光ディスク７からのデータを読み出す。メインＣＰＵ１４は、光ディスク７から読み出したデータに基づいて、表示部１８に映像又は文字を表示する処理を行い、また、図示していないスピーカから音声を出力する処理を行う（図４のステップＳ１５）。
【００２８】
以上説明したメインＣＰＵ１４による再生処理時にも、光ピックアップ部２２の温度とメインＣＰＵ１４、サブＣＰＵ１５及び起動ＣＰＵ１６の各温度は継続的に測定されている（図４のステップＳ１６）。
【００２９】
一方、図４のステップＳ１２において、光ピックアップ部２２の温度が異常に高いとき又はメインＣＰＵ１４等の温度が異常に高いときには、サブＣＰＵ１５は、起動ＣＰＵ１６に温度異常を通知するとともに、表示部１８に温度異常を表示する処理を行う（図５のステップＳ１７）。図４のステップＳ１６において、同様の温度異常があった場合にもステップＳ１７へと移行する。ステップＳ１７の後、サブＣＰＵ１５は、スイッチ２０を開放することでメインＣＰＵ１４への電源供給を遮断して、メインＣＰＵ１４を停止させる（図５のステップＳ１８）。
【００３０】
続いて、サブＣＰＵ１５は、スイッチ２１をメインＣＰＵ１４からサブＣＰＵ１５側へと切換える（図５のステップＳ１９）。
【００３１】
次に、サブＣＰＵ１５は、駆動部８のスピンドルモータに光ディスク７がセットされているか否かの判定を行い（図５のステップＳ２０）。光ディスク７がセットされていれば、サブＣＰＵ１５がモータドライバ９を介して駆動部８のスピンドルモータを駆動し、冷却のために光ディスク７の回転駆動を行う（図５のステップＳ２１）。次に、この冷却動作によって光ピックアップ部２２の温度及びメインＣＰＵ１４等の各温度がそれぞれの設定値以下になったか否かが判定され（図５のステップＳ２２）、サブＣＰＵ１５は、これらの温度が低くなると駆動部８のスピンドルモータの駆動を停止する（図５のステップＳ２３）。
【００３２】
次に、サブＣＰＵ１５は、起動ＣＰＵ１６に対して、光ディスク７がセットされていることを表示部１８に表示するよう処理する（図５のステップＳ２４）。次に、起動ＣＰＵ１６は、サブＣＰＵ１５に光ディスク７の再生指示を行う（図５のステップＳ２５）。このとき、サブＣＰＵ１５は、スイッチ２０を閉じるとともに、スイッチ２１をサブＣＰＵ１５側からメインＣＰＵ１４側に切り換える（図５のステップＳ２６）。そして、パワー電源１９からメインＣＰＵ１４に電源が供給される（図５のステップＳ２７）。ステップＳ２７以降は図４に示したステップＳ１４に移行して、サブＣＰＵ１５がメインＣＰＵ１４に再生指示を出す。その後、ステップＳ１５に示した光ディスク７の再生及びステップＳ１６に示した温度上昇の判定が行われる。
【００３３】
以上説明したように、本実施形態では、ＬＳＩ温度センサ１７によって検出したメインＣＰＵ１４の温度が設定温度を超えた場合には、メインＣＰＵ１４の動作を停止してメインＣＰＵ１４による温度上昇を止めた状態で、サブＣＰＵ１５によって駆動部８を駆動し、光ディスク７の駆動に基づく風で冷却を促進する。このため、メインＣＰＵ１４の冷却が進み、メインＣＰＵ１４が再び起動する。このように、車内温度が高温であるときの光ディスク７からのデータの読み出し動作または光ディスク７へのデータの書き込み動作の停止時間を短縮できる。
【００３４】
本発明を詳細にまた特定の実施態様を参照して説明したが、本発明の精神と範囲を逸脱することなく様々な変更や修正を加えることができることは当業者にとって明らかである。
【００３５】
本出願は、2011年11月15日出願の日本特許出願（特願2011-249270）に基づくものであり、その内容はここに参照として取り込まれる。
【産業上の利用可能性】
【００３６】
本発明に係る車載用光ディスク装置は、光ディスクの駆動部と、前記光ディスクを前記駆動部に搬送する、または、前記光ディスクを前記駆動部から取り出すローディング部と、前記駆動部によって駆動された前記光ディスクからのデータの読み出し、または、前記光ディスクへのデータの書き込みを行う光ピックアップ部と、前記光ピックアップ部、ローディング部及び前記駆動部に接続した制御部と、を備え、前記制御部は、前記駆動部及び前記光ピックアップ部に接続したメインＣＰＵと、前記ローディング部及び前記駆動部に接続したサブＣＰＵと、前記メインＣＰＵの温度を検出する温度センサと、を有し、前記温度センサが検出した前記メインＣＰＵの温度が設定温度を超えた場合には、前記サブＣＰＵが前記駆動部を駆動する構成である。このため、車内温度が高温であるときの光ディスクからのデータの読み出し動作または光ディスクへのデータの書き込み動作の停止時間を短縮できる。【００３７】
また、温度センサが検出したメインＣＰＵの温度が設定温度を超えた場合には、メインＣＰＵの動作を停止してメインＣＰＵによる温度上昇を止めた状態で、サブＣＰＵによって駆動部を駆動する。この場合、光ディスクの駆動に基づく風でメインＣＰＵの冷却が進み、その結果、メインＣＰＵが再び起動するまでの、光ディスクからのデータの読み出し動作または光ディスクへのデータの書き込み動作の停止時間を短縮できる。
【符号の説明】
【００３８】
１  自動車
２  車内
３  運転席
４  助手席
５  ハンドル
６  車載用光ディスク装置
７  光ディスク
８  駆動部
９  モータドライバ
１０  ローディング部
１１  モータドライバ
１２  アクチュエータドライバ
１３  制御部
１４  メインＣＰＵ
１５  サブＣＰＵ
１６  起動ＣＰＵ
１７  ＬＳＩ温度センサ
１８  表示部
１９  パワー電源
２０  スイッチ
２１  スイッチ
２２  光ピックアップ部
【図１】
2013073188.tif 000003
【図２】
2013073188.tif 000004
【図３】
2013073188.tif 000005
【図４】
2013073188.tif 000006
【図５】
2013073188.tif 000007
【手続補正書】
【提出日】平成26年5月19日(2014.5.19)
【手続補正１】
【補正対象書類名】特許請求の範囲
【補正対象項目名】全文
【補正方法】変更
【補正の内容】
【特許請求の範囲】
【請求項１】
光ディスクの駆動部と、
前記光ディスクを前記駆動部に搬送する、または、前記光ディスクを前記駆動部から取り出すローディング部と、
前記駆動部によって駆動された前記光ディスクからのデータの読み出し、または、前記光ディスクへのデータの書き込みを行う光ピックアップ部と、
前記光ピックアップ部、前記ローディング部及び前記駆動部に接続した制御部と、を備え、
前記制御部は、
前記駆動部及び前記光ピックアップ部に接続したメインＣＰＵと、
前記ローディング部及び前記駆動部に接続したサブＣＰＵと、
前記メインＣＰＵの温度を検出する温度センサと、を有し、
前記温度センサが検出した前記メインＣＰＵの温度が設定温度を超えた場合には、前記光ディスクが前記駆動部に搬送済みの場合に、前記サブＣＰＵが前記駆動部を駆動する、車載用光ディスク装置。
【請求項２】
前記温度センサが検出した前記メインＣＰＵの温度が前記設定温度を超えた場合には、前記サブＣＰＵが前記駆動部と前記ローディング部とを駆動して前記光ディスクを前記駆動部に搬送し、前記サブＣＰＵが前記駆動部を駆動する、請求項１に記載の車載用光ディスク装置。
【国際調査報告】
2013073188.tif 000008
2013073188.tif 000009